(57)【要約】【課題】両軸受リールのドラグ調整装置において、最適なドラグレバー位置を容易に把握できるようにする。【解決手段】リール本体１の板状部材８０に着脱自在かつ位置変更可能に配置され、ドラグ操作部材２の所定の揺動位置を記憶するためのピン部材７０が設けられている。ここでは、釣人が最適なドラグレバー位置を見つけたときには、その最適なドラグレバー位置となる装着凹部８１にピン部材７０を取り付けることによって、釣人はドラグレバー位置を記憶することなく、最適なドラグレバー位置を容易に把握することができる。【選択図】図３
2010088327.tif 000002
【特許請求の範囲】
【請求項１】
両軸受リールのリール本体に対して回転自在なスプールを制動するドラグ機構のドラグ力を調整する両軸受リールのドラグ調整装置であって、
前記ドラグ機構の最小ドラグ状態に対応した最小位置と前記ドラグ機構の最大ドラグ状態に対応した最大位置との間で前記リール本体の外方に前記スプールのスプール軸回りに揺動自在に装着されたレバー状のドラグ操作部材と、
前記リール本体の外方の前記ドラグ操作部材の前記最小位置と前記最大位置との間の揺動範囲内に着脱自在かつ位置変更可能に配置され、前記ドラグ操作部材の所定の揺動位置を記憶するドラグ揺動位置記憶部と、
を備えた両軸受リールのドラグ調整装置。
【請求項２】
前記リール本体は、側部外方に前記ドラグ操作部材の前記揺動範囲内に揺動方向に沿って並んで配置された複数の装着凹部を有しており、
前記ドラグ揺動位置記憶部は、前記複数の装着凹部のうちの１つの装着凹部に装着されるピン部材である、請求項１に記載の両軸受リールのドラグ調整装置。
【請求項３】
前記装着凹部は、前記リール本体の側部外方に設けられる部材を貫通する貫通孔である、請求項２に記載の両軸受リールのドラグ調整装置。
【請求項４】
前記リール本体は、側部外方に前記装着凹部が配置される側カバーを有している、請求項２又は３に記載の両軸受リールのドラグ調整装置。
【請求項５】
前記リール本体は、側カバーと、前記側カバーの外方に装着され側部外方に前記装着凹部が配置される板状部材とを有している、請求項２又は３に記載の両軸受リールのドラグ調整装置。
【請求項６】
前記ドラグ操作部材は、外方から前記貫通孔に装着された前記ドラグ揺動位置記憶部を視認可能な形状に開口する開口部を有している、請求項１から５のいずれか１項に記載の両軸受リールのドラグ調整装置。
【請求項７】
前記ピン部材は、圧入装着される、請求項２から６のいずれか１項に記載の両軸受リールのドラグ調整装置。
【請求項８】
前記ピン部材は、ねじ込み装着される、請求項２から６のいずれか１項に記載の両軸受リールのドラグ調整装置。
【請求項９】
前記ピン部材は、表面が前記リール本体と異なる色で着色されている、請求項２から８のいずれか１項に記載の両軸受リールのドラグ調整装置。
【請求項１０】
前記スプールの外方に固定された第１制動部材と、
前記第１制動部材が接触可能に配置され、軸方向移動不能かつ前記スプールの糸繰り出し方向への回転不能に前記スプール軸に装着され、前記ドラグ操作部材の揺動に伴って前記第１制動部材との接触摩擦を変更し前記スプールへの制動力を可変とする第２制動部材とをさらに備える、請求項１から９のいずれか１項に記載の両軸受リールのドラグ調整装置。
【発明の詳細な説明】
【技術分野】
【０００１】
本発明は、ドラグ調整装置、特に、両軸受リールのリール本体に対して回転自在なスプールを制動するドラグ機構のドラグ力を調整する両軸受リールのドラグ調整装置に関する。
【背景技術】
【０００２】
レバードラグリールとして、スプール軸回りに揺動自在に装着されたドラグ操作部材によりスプール軸を軸方向に移動させてドラグ力を調整できるリールが知られている。この種のレバードラグリールでは、制動力のレベルを０から９の数字で表示するためのレベル表示部が設けられており、このレベル表示部の数字にドラグレバーに設けられた指標部を指し示すことによって、現在の制動力を知ることができるようにしたものが知られている（たとえば、特許文献１参照）。このようなレバードラグリールでは、たとえばレベル表示部の「３の位置」に指標部が指し示す位置までドラグレバーを揺動させることによって、現在の制動力を正しく把握できる。
【特許文献１】特開２００４−１７３５９２号公報
【発明の開示】
【発明が解決しようとする課題】
【０００３】
前記従来のドラグ調整装置では、ドラグレバーはレベル表示部の「０の位置」から「９の位置」の間の任意の位置に停止させることが可能であり、たとえば「３の位置」と「４の位置」の間でドラグレバーを停止させることも可能である。具体的には、釣人がファイティングを繰り返し、最適なドラグレバー位置が見つかると、釣人はそのドラグレバー位置を記憶し、次回のドラグレバー位置を最適なドラグレバー位置に合わせる動作を行う。
【０００４】
しかし、ドラグレバーは任意の位置に停止させることができるので、たとえば、最適なドラグレバー位置が、「３の位置」と「４の位置」の間の「４の位置」寄りの位置等、レベル表示部の数字に指標部が合致しない位置であるときには、釣人は最適なドラグレバー位置を記憶するのが非常に難しく、瞬時にドラグレバーを最適なドラグレバー位置に停止させることが困難である。
【０００５】
本発明の課題は、両軸受リールのドラグ調整装置において、最適なドラグレバー位置を容易に把握できるようにすることにある。
【課題を解決するための手段】
【０００６】
発明１に係る両軸受リールのドラグ調整装置は、両軸受リールのリール本体に対して回転自在なスプールを制動するレバードラグ機構のドラグ力を調整する両軸受リールのドラグ調整装置であって、ドラグ操作部材と、ドラグ揺動位置記憶部とを備えている。ドラグ操作部材は、ドラグ機構の最小ドラグ状態に対応した最小位置とドラグ機構の最大ドラグ状態に対応した最大位置との間でリール本体の外方にスプールのスプール軸回りに揺動自在に装着されたレバー状の部材である。ドラグ揺動位置記憶部は、リール本体の外方のドラグ操作部材の最小位置と最大位置との間の揺動範囲内に着脱自在かつ位置変更可能に配置され、ドラグ操作部材の所定の揺動位置を記憶するためのものである。なお、ドラグ機構の最小ドラグ状態に対応した最小位置は、スプールが自由回転可能なドラグフリー状態に対応したフリー位置を含む位置である。
【０００７】
このドラグ調整装置では、リール本体に着脱自在かつ位置変更可能に配置され、ドラグ操作部材の所定の揺動位置を記憶するためのドラグ揺動位置記憶部が設けられている。このため、釣人が最適なドラグレバー位置を見つけたときには、レベル表示部の数字に指標部が合致しない位置であってもその最適なドラグレバー位置にドラグ揺動位置記憶部を取り付けることによって、釣人はドラグレバー位置を記憶することなく、最適なドラグレバー位置（前回の制動力）を容易に把握することができる。
【０００８】
なお、本願のドラグ揺動位置記憶部は、リール本体に着脱自在かつ位置変更可能に配置され、ドラグ操作部材の所定の揺動位置（前回の制動力）を記憶するためのものであって、従来の指標部は、ドラグレバーに着脱不能に固定され、レベル表示部の数字を指し示すことによって現在の制動力を知るためのものであるから、これらは構成も目的も全く異なるものである。
【０００９】
発明２に係るドラグ調整装置は、発明１のドラグ調整装置において、リール本体は、側部外方にドラグ操作部材の揺動範囲内に揺動方向に沿って並んで配置された複数の装着凹部を有している。ドラグ揺動位置記憶部は、複数の装着凹部のうちの１つの装着凹部に装着されるピン部材である。この場合、たとえば複数の装着凹部を従来のレベル表示部の数字の間隔より細かい間隔で設け、最適なドラグレバー位置となる装着凹部にピン部材を装着することによって、簡素な構成かつ釣人の簡単な操作で最適なドラグレバー位置を容易に把握することができる。また、釣人はリールの後方に位置しながら最適なドラグレバーの位置をピン部材によって把握することができ、従来のようにリールの横方向から指標部を確認する必要がなくなる。
【００１０】
発明３に係るドラグ調整装置は、発明２のドラグ調整装置において、装着凹部は、リール本体の側部外方に設けられる部材を貫通する貫通孔である。この場合、たとえば側カバーや側カバー外方に装着される板状部材に従来の複数の装飾用の貫通孔と同時に装着凹部としての貫通孔を形成することによって、製造工程を簡略化できるとともに、従来のリールに比して外観意匠を大幅に変更する必要がなくなる。
【００１１】
発明４に係るドラグ調整装置は、発明２又は３のドラグ調整装置において、リール本体は、側部外方に装着凹部が配置される側カバーを有している。この場合、側カバー自身に装着凹部が形成されているので、部品点数の増加を抑制できる。
【００１２】
発明５に係るドラグ調整装置は、発明２又は３のドラグ調整装置において、側カバーと、板状部材とを有している。板状部材は、側カバーの外方に装着され側部外方に装着凹部が配置される。この場合、側カバーと別体の板状部材に装着凹部が形成されているので、装着凹部の加工が容易になる。
【００１３】
発明６に係るドラグ調整装置は、発明１から５のいずれかのドラグ調整装置において、ドラグ操作部材は、外方から貫通孔に装着されたドラグ揺動位置記憶部を視認可能な形状に開口する開口部を有している。この場合、ドラグ操作部材の開口部をピン部材が視認できる位置に合わせることで、ドラグ操作部材をさらに正確なドラグレバー位置に設定できる。
【００１４】
発明７に係るドラグ調整装置は、発明２から６のいずれかのドラグ調整装置において、ピン部材は、圧入装着される。この場合、たとえば合成樹脂製のピン部材を金属製のリール本体に形成された装着凹部に圧入装着することによって、ピン部材の着脱を容易に行える。
【００１５】
発明８に係るドラグ調整装置は、発明２から６のいずれかのドラグ調整装置において、ピン部材は、ねじ込み装着される。この場合、装着凹部に雌ねじ部を形成し、ピン部材に雌ねじ部に螺合する雄ねじ部を形成することによって、ピン部材が装着凹部から離反しにくくなる。
【００１６】
発明９に係るドラグ調整装置は、発明２から８のいずれかのドラグ調整装置において、ピン部材は、表面がリール本体と異なる色で着色されている。この場合、ピン部材の視認性を向上できる。
【００１７】
発明１０に係るドラグ調整装置は、発明１から９のいずれかのドラグ調整装置において、第１制動部材と、第２制動部材とをさらに備える。第１制動部材は、スプールの外方に固定される。第２制動部材は、第１制動部材が接触可能に配置され、軸方向移動不能かつスプールの糸繰り出し方向への回転不能にスプール軸に装着され、ドラグ操作部材の揺動に伴って第１制動部材との接触摩擦を変更しスプールへの制動力を可変とする部材である。
【発明の効果】
【００１８】
本発明によれば、両軸受リールのドラグ調整装置において、リール本体に着脱自在かつ位置変更可能に配置され、ドラグ操作部材の所定の揺動位置を記憶するためのドラグ揺動位置記憶部が設けられているので、最適なドラグレバー位置を容易に把握することができる。
【発明を実施するための最良の形態】
【００１９】
本発明の一実施形態を採用した両軸受リールは、図１及び図２に示すように、トローリングに用いられるレバードラグ型のリールである。両軸受リールは、筒状のリール本体１と、リール本体１の中心部に回転自在に装着されたスプール軸５と、スプール軸５に回転自在かつ軸方向移動不能に支持されたスプール４と、リール本体１の側方に配置されたハンドル３とを備えている。また、両軸受リールは、ハンドル３の回転をスプール４に伝達する回転伝達機構１５と、スプール４の糸繰り出し方向の回転を制動するドラグ機構６と、ドラグ機構６のドラグ力を調整するドラグ調整機構１６と、スプール４の糸繰り出し方向の回転を規制する逆転防止機構１７とをリール本体１の内部に備えている。
【００２０】
リール本体１は、金属製の左右１対の皿状の第１側カバー１３ａ及び第２側カバー１３ｂと、第１側カバー１３ａ及び第２側カバー１３ｂにより両端が覆われるフレーム１０とを有している。フレーム１０は、第１側カバー１３ａ及び第２側カバー１３ｂが両端に印籠結合により同芯に結合され、複数本の固定ねじにより固定された金属製の孔あき筒状の部材である。
【００２１】
第２側カバー１３ｂの外方側には、図１、図３及び図４に示すように、円板状の板状部材８０がねじ止めされている。板状部材８０の中央部分は、円筒部１４を貫通させるために貫通孔が形成されており、板状部材８０の上部は一部が切り欠かれたアルミニウム合金製の部材である。板状部材８０の側部外方には、ドラグ操作部材２の揺動範囲内に揺動方向に沿って並んで配置され後述するピン部材７０を装着するための複数の装着凹部８１と、複数の装着凹部８１の外周側に中心位置が同位相となるように並んで配置されドラグ操作部材２の揺動に応じて発音する後述するドラグ調整発音機構４７の複数の音出し凹部８２とが形成されている。なお、板状部材８０の外周部には、ドラグ操作部材２の後述する操作部２ａの下面に形成された円弧状のスリットが挿入されており、ドラグ操作部材２の揺動方向をサポートするためのレバーガイドとしても機能している。
【００２２】
装着凹部８１は、図１、図３及び図４に示すように、板状部材８０の側部を貫通する外形が円形の貫通孔であり、複数の装着凹部８１のうちの１つの装着凹部８１には、ピン部材７０（ドラグ揺動位置記憶部の一例）を装着するためのものである。音出し凹部８２は、ドラグ操作部材２の揺動に応じて発音させるための発音用の凹部であって、外形が楕円形の貫通孔である。ここでは、音出し凹部８２の中心位置が装着凹部８１の中心位置と同位相となるように設けられているので、釣人は、発音あるいは発音によるクリック感に応じてドラグ操作部材２を後述するピン部材７０の位置まで揺動させるだけでよくなるので、ドラグ操作部材２をさらに正確なドラグレバー位置に設定できる。
【００２３】
第１側カバー１３ａ及び第２側カバー１３ｂは、その略中心部で回動自在にスプール軸５の両端を支持する。ハンドル３側の第２側カバー１３ｂには、図２及び図３に示すように、スプール軸５を支持するために軸方向外方に突出する円筒部１４が設けられている。
【００２４】
図１及び図２に示すように、フレーム１０と第１側カバー１３ａ及び第２側カバー１３ｂとの間の上部にはリールハーネスに装着するための２つのハーネスラグ６４、ハーネスラグ６５が間隔を隔てて装着されている。フレーム１０の下部にはリールを釣竿ＲＤに装着するための竿装着脚部７が設けられている。竿装着脚部７には、釣竿ＲＤを挟むロッドクランプ８が対向して配置されている。
【００２５】
スプール軸５は、図２に示すように、両端に配置された左右１対の軸受２０ａ、軸受２０ｄによりリール本体１の第１側カバー１３ａ、第２側カバー１３ｂに回転自在に支持されている。またその内側で軸方向に間隔を隔ててスプール４の両端に配置された２つの軸受２０ｂ、軸受２０ｃによりスプール４を回転自在に支持する。スプール軸５の右端の軸受２０ｄの外輪の右側にはドラグ機構６の移動機構４６の構成部品が当接している。また内輪の左側には回転伝達機構１５の第３ギア１９ｃが当接している。スプール軸５の左端の軸受２０ａの内輪の右側には逆転防止機構１７が当接している。また軸受２０ｄの外輪の右端には、第１側カバー１３ａが当接している。スプール４を支持する左側の軸受２０ｂの内輪の左側にはドラグ機構６の摩擦ディスク２７が当接している。外輪の右側はスプール４に当接している。
【００２６】
スプール４は、図２に示すように、糸巻胴部４ａと、糸巻胴部４ａの両端に一体形成された第１フランジ部４ｂ及び第２フランジ部４ｃとを有している。スプール４は軸受２０ｂ、軸受２０ｃによりスプール軸５に回転自在に支持されている。
【００２７】
ハンドル３は、図２に示すように、スプール軸５の下方にスプール軸５と平行に配置された筒状のハンドル軸３１の突出端に固定されている。ハンドル軸３１は、円筒部１４の下方に軸方向に間隔を隔てて配置された２つの軸受３２、軸受３３によりリール本体１に回転自在に支持されている。ハンドル３は、図２に示すように、ハンドル軸３１の先端に固定されたハンドルアーム４０と、ハンドルアーム４０の先端に回動自在に支持されたハンドル把手４１とを備えている。ハンドルアーム４０は、ねじ部材４２によりハンドル軸３１の先端にハンドル軸３１相対回転不能に固定されている。ハンドル把手４１は、力を入れて握りやすくするために、外形が丸みを帯びた略Ｔ字形状になるように形成されている。
【００２８】
回転伝達機構１５は、高速、低速に切換可能な変速機構を備えている。回転伝達機構１５は、図２に示すように、ハンドル３のハンドル軸３１に回転自在に支持された高速巻き取り用の第１ギア１９ａ及び低速巻き取り用の第２ギア１９ｂと、第１ギア１９ａ及び第２ギア１９ｂにそれぞれ噛み合う状態でスプール軸５に回転不能に装着された第３ギア１９ｃ及び第４ギア１９ｄと、第１ギア１９ａ及び第２ギア１９ｂのいずれか一方とハンドル軸３１とを結合し、回転を伝達する係合片１９ｅとを有している。
【００２９】
ドラグ機構６は、図２に示すように、スプール４の左端に装着された制動ディスク２５と、制動ディスク２５の両側に配置された１対の摩擦ディスク２６、摩擦ディスク２７と、スプール４を介して制動ディスク２５を摩擦ディスク２７から離反する方向に付勢するコイルばね２８とを有している。
【００３０】
制動ディスク２５は、図２に示すように、たとえばステンレス製のワッシャ状の円板部材であり、周方向に間隔を隔てて配置された複数本の取付ピンにより、スプール４の左側の第１フランジ部４ｂの端面にスプール４と接離する方向に所定距離移動自在かつスプール４に対して回転不能に装着されている。
【００３１】
摩擦ディスク２６は、図２に示すように、制動ディスク２５のスプール４と逆側の面に対向して配置されている。摩擦ディスク２６の制動ディスク２５に対向する面には、たとえばカーボングラファイトや繊維強化樹脂などの耐摩耗素材製のリング状の摩擦板がビス等の適宜の固定手段により固定されている。摩擦ディスク２６は、中心部に筒状のボス部を有しており、このボス部にスプール軸５の径方向に沿って貫通してスプール軸５に装着されたピンが係止されている。これにより摩擦ディスク２６は、スプール軸５に回転不能に装着されており、スプール軸５とともに回転する。また、摩擦ディスク２６のボス部の左端面には逆転防止機構１７のラチェットホイール５０が当接している。ラチェットホイール５０は、摩擦ディスク２６のボス部の外周面にたとえばセレーションなどの適宜の係止手段により回転不能に装着されている。ラチェットホイール５０は、軸受２０ａの内輪に当接している。また軸受２０ａの外輪は第１側カバー１３ａに当接している。この結果、摩擦ディスク２６は、スプール軸方向外方つまり制動ディスク２５から離反する方向へ移動不能であるとともに、ラチェットホイール５０により糸繰り出し方向の回転が禁止される。
【００３２】
なお、逆転防止機構１７は、外周面に鋸歯が形成されたラチェットホイール５０と、ラチェットホイール５０の外周側に配置され先端が鋸歯を係止するラチェット爪５１とを有する爪式のものである。ラチェット爪５１は、第１側カバー１３ａの内側面に揺動自在に装着されており、引張ばねにより鋸歯を係止する側に付勢されている。
【００３３】
摩擦ディスク２７は、図２に示すように、制動ディスク２５のスプール４側の面に対向して配置され、摩擦ディスク２６と連動して回転しかつ摩擦ディスク２６に対して接離するようにスプール軸方向に移動自在にスプール軸５に装着されている。摩擦ディスク２７の制動ディスク２５に対向する面には、たとえばカーボングラファイトや繊維強化樹脂等の耐摩耗性素材製のリング状の摩擦板がねじ止めされている。摩擦ディスク２７は、スプール軸５の径方向に沿って貫通してスプール軸５に装着されたピンにより中心でスプール軸５に回転不能に装着されている。また、摩擦ディスク２７の右端面にはワッシャを介して軸受２０ｂの内輪が当接している。この結果、摩擦ディスク２７は、軸受２０ｂを介してスプール４により押圧されるとともに、スプール４を押圧する。
【００３４】
ドラグ調整機構１６は、図１から図３に示すように、リール本体１にスプール軸５回りに揺動自在に設けられたドラグ操作部材２と、ドラグ操作部材２の揺動に応じてスプール４をスプール軸５に対して軸方向に相対移動させる移動機構４６と、ドラグ操作部材２の揺動に応じて発音するドラグ調整発音機構４７とを主に備えている。移動機構４６は、ドラグ操作部材２の図３時計回りの揺動に応じてスプール４及び摩擦ディスク２７を押圧して左方に移動させる押圧機構４８と、摩擦ディスク２７を付勢してドラグ操作部材２の図３反時計回りの移動に応じてスプール４及び摩擦ディスク２７を右方に移動させるためのリターンばね４９とを有している。ドラグ調整発音機構４７は、図２に示すように、フリー位置から最大位置にかけてドラグ操作部材２の揺動方向に間隔を隔てかつドドラグ操作部材２と対向して板状部材８０に配置された複数の音出し凹部８２と、音出し凹部８２に対向可能にドラグ操作部材２に進退自在に装着された音出しピン８３と、音出しピン８３を音出し凹部８２に向けて付勢するコイルばね８４とを有している。音出し凹部８２は、フリー位置からストライク位置にかけて形成された部分と、最大位置とその手前とに揺動方向に間隔を隔てて形成された部分とを有している。
【００３５】
ドラグ操作部材２は、図１及び図３に示すように、スプール４が自由回転可能なドラグフリー状態に対応したフリー位置（図３におけるＡ位置）とドラグ機構６の最大ドラグ状態に対応した最大位置（図３におけるＢ位置）との間でリール本体１の外方にスプール４の軸回りに揺動自在に装着されたレバー状の部材である。ドラグ操作部材２は、図１及び図３に示すように、上部に配置され釣人が手で操作するための操作部２ａと、下部に配置された板状の板状部２ｂとを有している。板状部２ｂには、上部に配置され外方から装着凹部８１に装着されたピン部材７０を視認可能な形状に開口する貫通孔である視認開口部２ｃと、下部に配置された装飾用の貫通孔である装飾開口部２ｄとを有している。
【００３６】
視認開口部２ｃは、装着凹部８１のドラグ操作部材２の揺動中心を中心とした円弧の半径と同径となる位置を中心とした円形の貫通孔であって、ピン部材７０の円形の外形と略同一となる貫通孔である。装飾開口部２ｄは、外観意匠を向上させるための装飾用の凹部であって、視認開口部２ｃの上部に形成された装飾開口部２ｄよりやや小径となる円形の貫通孔である。
【００３７】
ピン部材７０は、図１、図３及び図５に示すように、リール本体１の板状部材８０に着脱自在かつ位置変更可能に配置され、ドラグ操作部材２の所定の揺動位置を記憶するためのものであり、複数の装着凹部８１のうちの１つの装着凹部８１に装着されるピン部材である。ピン部材７０は、図３に示すように、たとえばドラグ操作部材２の最適な位置（図３におけるＣ位置）となるときに、視認開口部２ｃから視認可能な装着凹部８１に圧入装着される。ピン部材７０は、表面が赤色や橙色等比較的目立つ色でリール本体１と異なる色で着色された合成樹脂製の部材である。ピン部材７０は、図５に示すように、釣人が着脱の際に摘むための大径部７１と、装着凹部８１に圧入される小径部７２とを有している。大径部７１は、着脱方向に沿った複数の溝部が形成されており、釣人が摘みやすい形状になっている。小径部７２の外径は、装着凹部８１の内径よりやや大きくなるように形成されており、合成樹脂製の小径部７２をアルミニウム合金製の装着凹部８１に圧入することが可能である。なお、このようなピン部材７０を装着凹部８１に装着したとき、ピン部材７０がドラグ操作部材２に接触しないようにピン部材７０とドラグ操作部材２との間には隙間が生成されており、ピン部材７０を装着凹部８１に装着することによってドラグ操作部材２の揺動を妨げることはない。
【００３８】
このような両軸受リールでは、リール本体１の板状部材８０に着脱自在かつ位置変更可能に配置され、ドラグ操作部材２の所定の揺動位置を記憶するためのピン部材７０が設けられている。ここでは、釣人が最適なドラグレバー位置（図３におけるＣ位置）を見つけたときには、その最適なドラグレバー位置となる装着凹部８１にピン部材７０を取り付ける。そして、釣人はドラグ操作部材２を揺動させるときは、ドラグ操作部材２の視認開口部２ｃをピン部材７０が視認できる位置（図３におけるＣ位置）に合わせるだけで、釣人は従来のようにドラグレバー位置を記憶することなく、最適なドラグレバー位置を容易に把握することができる。
【００３９】
〔他の実施形態〕
（ａ）  前記実施形態では、トローリング用の中型リールに本発明を採用したが、これに限定されるものではなく、レバードラグを有する全ての両軸受リールに本発明を適用できる。
【００４０】
（ｂ）  前記実施形態では、板状部材８０に装着凹部８１として貫通孔を設けていたが、図６に示すように、第２側カバー１３ｂに装着凹部１３ｃとしての貫通孔を設けてもよい。なお、図６では、音出し凹部８２に相当する装飾凹部１３ｄとしての貫通孔を設けている。また、装着凹部８１または装着凹部１３ｃは、貫通孔に限定されるものではなく、板状部材８０または第２側カバー１３ｂの外方側が開口する有底の凹部であってもよい。
【００４１】
（ｃ）  前記実施形態では、ピン部材７０は、板状部材８０の装着凹部８１に圧入固定していたが、図７に示すように、ピン部材７０の小径部７２に雄ねじ部７３を形成し、板状部材８０の装着凹部８１に形成した図示しない雌ねじ部に螺合させてもよい。
【００４２】
（ｄ）  前記実施形態では、ピン部材７０は、板状部材８０の色と異なる合成樹脂製の部材であったが、ピン部材７０材質や色はこれに限定されるものではなく、たとえば板状部材８０の色と異なる金属製の部材であってもよい。
【００４３】
（ｅ）  図８に示すように、ドラグ操作部材２の揺動範囲内となるように装着凹部８１の外周側に沿って配置され、制動力のレベルを０から９の数字で表示するためのレベル表示部１３ｅをさらに設けてもよい。なお、図８では、「６の位置」と「７の位置」の間にピン部材７０が装着されている。また、図示しないが、ドラグ操作部材２に設けられレベル表示部１３ｅの数字を指し示す指標部をさらに設けてもよい。
【図面の簡単な説明】
【００４４】
【図１】本発明の一実施形態による両軸受リールの斜視図。
【図２】前記両軸受リールの断面図。
【図３】前記両軸受リールの側面図。
【図４】板状部材の拡大側面図。
【図５】ピン部材の拡大斜視図。
【図６】他の実施形態の図３に相当する図。
【図７】他の実施形態の図５に相当する図。
【図８】他の実施形態の図３に相当する図。
【符号の説明】
【００４５】
１  リール本体
２  ドラグ操作部材
２ａ  操作部
２ｂ  板状部
２ｃ  視認開口部
２ｄ  装飾開口部
３  ハンドル
４  スプール
５  スプール軸
６  ドラグ機構
１０  フレーム
１３ａ  第１側カバー
１３ｂ  第２側カバー
１３ｃ  装着凹部
１３ｄ  装飾凹部
１３ｅ  レベル表示部
１４  円筒部
１５  回転伝達機構
１６  ドラグ調整機構
１７  逆転防止機構
７０  ピン部材
７１  大径部
７２  小径部
７３  雄ねじ部
８０  板状部材
８１  装着凹部
８２  音出し凹部
８３  音出しピン
８４  コイルばね
【図１】
2010088327.tif 000003
【図２】
2010088327.tif 000004
【図３】
2010088327.tif 000005
【図４】
2010088327.tif 000006
【図５】
2010088327.tif 000007
【図６】
2010088327.tif 000008
【図７】
2010088327.tif 000009
【図８】
2010088327.tif 000010